(57)【要約】  ケース自体の小型化を図ることができると共に、移動体通信機の表面だけでなく、隠れた部分も確実に除菌することができ、しかも、移動体通信機の除菌作業スペースの省スペース化と、充電及び除菌の同時作業が可能な除菌ケースを提供する。  除菌ケース１−１はケース本体２とカバー体３とを備える。ケース本体２は、電極シート５を有する載置部４と電圧供給部６とを備える。電圧供給部６は昇圧回路６１と直流変換回路６２とスイッチ回路６３と除菌メータ６４とを備える。昇圧回路６１はオゾン発生に必要な電圧を電極シート５に供給する。直流変換回路６２は移動体通信機であるスマートフォン１００の電源電圧に変換して雄コネクタ７に出力する。雄コネクタ７はスマートフォン１００の雌コネクタ１０１に接続可能である。カバー体３はケース本体２に開閉自在に取り付けられる。
2016186168.tif 000002
【特許請求の範囲】
【請求項１】
１対の電極の少なくとも一方の電極をシート状の誘電体内部に収納して形成した電極シートが表面に敷設され且つこの電極シート上に移動体通信機を載置可能な載置部，及び上記電極シートと移動体通信機とに所定の電圧を供給するための電圧供給部を有するケース本体と、
このケース本体に開閉自在に取り付けられるカバー体と
を備える除菌ケースであって、
上記電圧供給部は、
電源をオゾン発生に必要な電圧に変換して上記１対の電極に供給するための第１の回路と、
上記移動体通信機の電源用雌コネクタに接続可能な雄コネクタに、電源を移動体通信機の電源電圧に変換して供給するための第２の回路と
を備えることを特徴とする除菌ケース。
【請求項２】
請求項１に記載の除菌ケースにおいて、
上記電極シートとは別体の電極シートを、上記カバー体の天壁の内面に設け、
上記第１の回路を、当該別体の電極シートの１対の電極にも接続した、
ことを特徴とする除菌ケース。
【請求項３】
請求項１又は請求項２に記載の除菌ケースにおいて、
上記移動体通信機を載置するためのスペーサを、上記載置部上の電極シート上に突設した、
ことを特徴とする除菌ケース。
【請求項４】
請求項１又は請求項２に記載の除菌ケースにおいて、
上記載置部の断面形状を、波形に形成し、上記電極シートをこの波形の載置部に添って敷設した、
ことを特徴とする除菌ケース。
【請求項５】
請求項１ないし請求項４のいずれかに記載の除菌ケースにおいて、
上記電源は、交流電源であり、
上記第１の回路は、上記電源の交流電圧を所望値の交流電圧又はパルス状電圧に変換して上記１対の電極に供給する回路であり、
上記第２の回路は、上記電源の交流電圧を所望値の直流電圧に変換して上記雄コネクタに供給する回路である、
ことを特徴とする除菌ケース。
【請求項６】
請求項１ないし請求項４のいずれかに記載の除菌ケースにおいて、
上記電源は、直流電源であり、
上記第１の回路は、上記電源の直流電圧を所望値の交流電圧又はパルス状電圧に変換して上記１対の電極に供給する回路であり、
上記第２の回路は、上記電源の直流電圧を所望値の直流電圧に変換して上記雄コネクタに供給する回路である、
ことを特徴とする除菌ケース。
【請求項７】
請求項６に記載の除菌ケースにおいて、
上記第２の回路は、上記電源の直流電圧をそのまま上記雄コネクタに供給する回路である、
ことを特徴とする除菌ケース。
【請求項８】
請求項１ないし請求項７のいずれかに記載の除菌ケースにおいて、
上記電極シートの少なくとも誘電体を、高分子樹脂で形成した、
ことを特徴とする除菌ケース。
【請求項９】
請求項１ないし請求項８のいずれかに記載の除菌ケースにおいて、
上記カバー体を閉じた状態でのみ上記電源をオンすることができ且つ電源オン時における所定長さの除菌時間経過後に電源をオフにすることができるスイッチ機構を、上記ケース本体に設けた、
ことを特徴とする除菌ケース。
【請求項１０】
請求項１ないし請求項９のいずれかに記載の除菌ケースにおいて、
除菌処理時間を表示する除菌メータを、上記ケース本体に設けた、
ことを特徴とする除菌ケース。
【請求項１１】
請求項１ないし請求項１０のいずれかに記載の除菌ケースにおいて、
上記１対の電極のそれぞれは、櫛歯状に形成され、１対の電極の櫛歯同士が、一定間隔を保って、噛み合っている、
ことを特徴とする除菌ケース。
【請求項１２】
請求項１ないし請求項１０のいずれかに記載の除菌ケースにおいて、
上記１対の電極の一方の電極を、上記誘電体内部に収納し、多数の孔を有した他方の電極又は櫛歯状の他方の電極のいずれかを、当該一方の電極に対向させた状態で、上記誘電体の表面に配設した、
ことを特徴とする除菌ケース。
【請求項１３】
請求項１ないし請求項１２のいずれかに記載の除菌ケースにおいて、
上記電極シートと上記載置部に載置された移動体通信機又は移動体通信機ケースとの距離を１０ｍｍ以下の範囲内に保持する保持部を、載置部に設けた、
ことを特徴とする除菌ケース。
【発明の詳細な説明】
【技術分野】
【０００１】
この発明は、スマートフォン等の移動体通信機を除菌するための除菌ケースに関するものである。
【背景技術】
【０００２】
例えば、移動体通信機であるスマートフォンは、布状のもので表面を拭き取ることで清掃することができる。そして、清掃だけでなく、スマートフォンの除菌を行う場合には、一般的に、洗剤やアルコール等の消毒液で拭き取る作業を行う。
しかし、この除菌方法であると、スマートフォンを手作業で拭く作業が必要であり、非常に手間がかかる。しかも、消毒液等が、手に付着すると、手がかぶれるおそれもある。【０００３】
そこで、このような拭き作業を必要とすることなくスマートフォンを除菌できる技術として、例えば、特許文献１に記載の除菌装置が提案されている。
この除菌装置は、スマートフォンの充電器として機能すると共に除菌器としても機能する構造になっている。具体的には、スマートフォンを装置のケーシング内に収納すると共にスマートフォンの充電端子を装置のコネクタに接続することで、スマートフォンに電力を供給する。そして、ケーシングの内部には、紫外線ランプが設けられ、充電時に、紫外線をこのランプからスマートフォンに照射することで、除菌する。
【先行技術文献】
【特許文献】
【０００４】
【特許文献１】特開２０１４−０６８４８４号公報
【発明の概要】
【発明が解決しようとする課題】
【０００５】
しかし、上記した従来の技術では、次のような課題があった。
すなわち、上記の除菌装置では、スマートフォンの部位のうち、紫外線が当たっている部位しか除菌されない。このため、紫外線が当たりづらいスマートフォンの側面や隙間等では、十分な除菌が行われない。これに対して、この装置を、スマートフォンの側面を含む全ての面を除菌することができる構造にするには、紫外線ランプを、装置の内部であって、スマートフォンの上面、下面、側面の全ての面に対向する部位に装着しなければならない。したがって、スマートフォンの全面を除菌可能な構造にするには、装置自体を大きくしなければならず、装置の大型化及び重量化が問題になる。
また、光を用いているため、アクセサリやケースを付けた状態のスマートフォンの場合には、これらのアクセサリ等の陰に隠れた部分を、除菌することができない。【０００６】
この発明は、上述した課題を解決するためになされたもので、ケース自体の小型化を図ることができると共に、移動体通信機の表面だけでなく、隠れた部分も確実に除菌することができ、しかも、移動体通信機の除菌作業スペースの省スペース化と、充電及び除菌の同時作業が可能な除菌ケースを提供することを目的とする。
【課題を解決するための手段】
【０００７】
上記課題を解決するために、請求項１の発明は、１対の電極の少なくとも一方の電極をシート状の誘電体内部に収納して形成した電極シートが表面に敷設され且つこの電極シート上に移動体通信機を載置可能な載置部，及び電極シートと移動体通信機とに所定の電圧を供給するための電圧供給部を有するケース本体と、このケース本体に開閉自在に取り付けられるカバー体とを備える除菌ケースであって、電圧供給部は、電源をオゾン発生に必要な電圧に変換して１対の電極に供給するための第１の回路と、移動体通信機の電源用雌コネクタに接続可能な雄コネクタに、電源を移動体通信機の電源電圧に変換して供給するための第２の回路とを備える構成とした。
かかる構成により、カバー体を開いた状態で、移動体通信機をケース本体の電極シート上に載置し、電圧供給部の第２の回路の雄コネクタを、移動体通信機の電源用雌コネクタに接続する。
そして、カバー体を閉じた後、電源をオンにすると、電圧供給部の第１の回路によって、電極シートの１対の電極にオゾン発生に必要な電圧が供給される。この結果、オゾンが電極シートから放出され、電極シート上に載置された移動体通信機が除菌される。
これと並行して、第２の回路によって、電源が移動体通信機の電源電圧に変換され、この電源電圧が、雄コネクタと移動体通信機の電源用雌コネクタを通じて、移動体通信機に供給される。この結果、移動体通信機が充電される。
このように、この発明の除菌ケースによれば、オゾンで除菌をしながら充電することができる。つまり、わざわざ手間暇をかけて、移動体通信機の除菌作業をしなくとも、習慣となっている充電作業のついでに除菌作業を自動的に行うことができる。
また、移動体通信機を除菌ケース内に閉じこめた状態で、ガス状のオゾンを放出するので、オゾンが除菌ケース内に充満する。この結果、オゾンが、移動体通信機の全体に回り込み、移動体通信機の表面だけでなく、アクセサリ等で隠れた部分も除菌する。
さらに、通常は、オゾン発生体の材料として、セラミックスを用いるが、この発明のように、オゾン発生体として、電極シートを用いると、オゾンを、移動体通信機に対して直接面上に放射することができる。この結果、電極シートからの単位面積当たりのオゾン発生量を、セラミックによる単位面積当たりのオゾン発生量よりも、少なくすることができる。この結果、オゾン発生体を駆動させる電源の消費量を少なくすることができ、省エネに繋がる。
そして、除菌終了後は、電源をオフにして、カバー体を開き、移動体通信機をケース本体から取り出すことができる。
また、この発明の除菌ケースは、移動体通信機を収納するケース本体とカバー体とで構成されているので、全体の大きさを移動体通信機の大きさに近づけることができ、ケース自体を小型化且つ軽量化することができる。この結果、狭い作業スペースであっても、除菌作業を行うことができる。
さらに、電極シートをケース本体内に敷設する構成であるが、電極シート自体が薄いシート状であるので、電極シートによって除菌ケースが大型化するおそれはない。【０００８】
請求項２の発明は、請求項１に記載の除菌ケースにおいて、電極シートとは別体の電極シートを、カバー体の天壁の内面に設け、第１の回路を、当該別体の電極シートの１対の電極にも接続した構成とする。
かかる構成により、オゾンを上方と下方の両方から移動体通信機に放出することができる。この結果、移動体通信機に対する除菌時間を短縮することができる。【０００９】
請求項３の発明は、請求項１又は請求項２に記載の除菌ケースにおいて、移動体通信機を載置するためのスペーサを、載置部上の電極シート上に突設した構成とする。
かかる構成により、多量の空気が、移動体通信機の下側にも入り込み、電極シートによるオゾンの発生率が高くなる。この結果、除菌効果を高めることができる。【００１０】
請求項４の発明は、請求項１又は請求項２に記載の除菌ケースにおいて、載置部の断面形状を、波形に形成し、電極シートをこの波形の載置部に添って敷設した構成とする。
かかる構成により、波形の載置部と移動体通信機との間に、多量の空気が充満し、電極シートによるオゾンの発生率が高くなる。この結果、除菌効果を高めることができる。さらに、載置部を、平面形状でなく、波形形状にして、電極シートをこの載置部に添って敷設することで、電極シートの面積を大きく採ることができる。【００１１】
請求項５の発明は、請求項１ないし請求項４のいずれかに記載の除菌ケースにおいて、電源は、交流電源であり、第１の回路は、電源の交流電圧を所望値の交流電圧又はパルス状電圧に変換して１対の電極に供給する回路であり、第２の回路は、電源の交流電圧を所望値の直流電圧に変換して雄コネクタに供給する回路である構成とした。
かかる構成により、電源が電圧供給部に供給されると、第１の回路によって、この電源の交流電圧が所望値の交流電圧又はパルス状電圧に変換されて１対の電極に供給される。これと同時に、第２の回路において、電源の交流電圧が所望値の直流電圧に変換されて雄コネクタに供給される。【００１２】
請求項６の発明は、請求項１ないし請求項４のいずれかに記載の除菌ケースにおいて、電源は、直流電源であり、第１の回路は、電源の直流電圧を所望値の交流電圧又はパルス状電圧に変換して１対の電極に供給する回路であり、第２の回路は、電源の直流電圧を所望値の直流電圧に変換して雄コネクタに供給する回路である構成とした。
かかる構成により、電源が電圧供給部に供給されると、第１の回路によって、この電源の直流電圧が所望値の交流電圧又はパルス状電圧に変換されて１対の電極に供給される。これと同時に、第２の回路において、電源の直流電圧が所望値の直流電圧に変換されて雄コネクタに供給される。【００１３】
請求項７の発明は、請求項６に記載の除菌ケースにおいて、第２の回路は、電源の直流電圧をそのまま雄コネクタに供給する回路である構成とした。
かかる構成により、第２の回路においては、電源の直流電圧がそのまま雄コネクタに供給される。【００１４】
請求項８の発明は、請求項１ないし請求項７のいずれかに記載の除菌ケースにおいて、電極シートの少なくとも誘電体を、高分子樹脂で形成した構成とする。
かかる構成により、少なくとも誘電体が高分子樹脂で形成された電極シートによって、オゾンを発生することができる。
通常は、オゾン発生体の材料として、セラミックスを用いるが、この発明のように、オゾン発生体として、高分子樹脂のシートを用いることで、電極シートの薄型化、軽量化及びオゾン発生部の広面積化を図ることができるだけでなく、そのフレキシブル性により、ケース本体の載置部が湾曲等していても、電極シートを、載置部の形状に合わせて敷設することができる。【００１５】
請求項９の発明は、請求項１ないし請求項８のいずれかに記載の除菌ケースにおいて、カバー体を閉じた状態でのみ電源をオンすることができ且つ電源オン時における所定長さの除菌時間経過後に電源をオフにすることができるスイッチ機構を、ケース本体に設けた構成とする。
かかる構成により、移動体通信機をケース本体内に収納した後、カバー体を閉じると、スイッチ機構により、電源がオン状態になる。これにより、収納された移動体通信機の除菌作業が自動的に行われる。そして、所定長さの除菌時間が経過し、除菌が完了すると、スイッチ機構により、電源がオフ状態になる。【００１６】
請求項１０の発明は、請求項１ないし請求項９のいずれかに記載の除菌ケースにおいて、除菌処理時間を表示する除菌メータを、ケース本体に設けた構成とする。
かかる構成により、除菌メータにより、除菌の処理時間の目安を視認することができ、除菌の達成感を実感することができる。【００１７】
請求項１１の発明は、請求項１ないし請求項１０のいずれかに記載の除菌ケースにおいて、１対の電極のそれぞれは、櫛歯状に形成され、１対の電極の櫛歯同士が、一定間隔を保って、噛み合っている構成とした。
かかる構成により、櫛歯同士が一定間隔を保って噛み合っている１対の電極間で放電現象が起こり、オゾンが発生する。【００１８】
請求項１２の発明は、請求項１ないし請求項１０のいずれかに記載の除菌ケースにおいて、１対の電極の一方の電極を、誘電体内部に収納し、多数の孔を有した他方の電極又は櫛歯状の他方の電極のいずれかを、当該一方の電極に対向させた状態で、誘電体の表面に配設した構成とする。【００１９】
請求項１３の発明は、請求項１ないし請求項１２のいずれかに記載の除菌ケースにおいて、電極シートと載置部に載置された移動体通信機又は移動体通信機ケースとの距離を１０ｍｍ以下の範囲内に保持する保持部を、載置部に設けた構成とする。
かかる構成により、ざらざらの表面を有する移動体通信機や、ざらざらした素材や布製のケースをつけた移動体通信機であっても、確実に除菌することができる。
【発明の効果】
【００２０】
このように、この発明の除菌ケースによれば、オゾンで除菌をしながら同時に移動体通信機の充電ができるので、非常に便利である。
また、光でなく、ガス状のオゾンで除菌する構成であるので、移動体通信機の表面だけでなく、隠れた部分も除菌することができる。
また、この発明の除菌ケースは、全体の大きさを移動体通信機の大きさに近づけることができるので、ケース自体の小型化と軽量化とを図ることができる。【００２１】
特に、請求項２の発明によれば、移動体通信機に対する除菌時間を短縮することができる。【００２２】
また、請求項３の発明によれば、オゾンの発生率を高くして、除菌効果を高めることができる。【００２３】
また、請求項４の発明によれば、オゾンの発生率をより一層高めることができる。【００２４】
また、請求項８の発明によれば、さらなる小型化が可能となる。【００２５】
請求項９及び請求項１０の発明によれば、除菌終了後に自動的に電源をオフしたり、また、除菌処理時間の目安を視認することができるので、非常に便利である。
【図面の簡単な説明】
【００２６】
【図１】この発明の第１実施例に係る除菌ケースを分離して示す斜視図である。
【図２】ケース本体の正面図である。
【図３】ケース本体を破断して示す概略平面図である。
【図４】図３の矢視Ａ−Ａ断面図である。
【図５】スイッチ回路の構造を示す概略図である。
【図６】スイッチ回路のピン体の配置状態を示す側面図である。
【図７】除菌メータを示す概略断面図である。
【図８】カバー体を開口側から示す正面図である。
【図９】カバー体をケース本体に取り付けた状態を示す断面図である。
【図１０】除菌ケースの使用例を示す概略側面図であり、図１０の（ａ）は、スマートフォンをケース本体に載せた状態を示し、図１０の（ｂ）は、スマートフォンをケース本体に電気的に接続した状態を示し、図１０の（ｃ）は、カバー体を閉じた状態を示す。
【図１１】スマートフォンをケース本体に載せた状態で、カバー体を完全に閉じた状態を示す斜視図である。
【図１２】電極シートからのオゾン発生状態を示す概略図である。
【図１３】オゾンによる除菌作用を説明するための断面図である。
【図１４】この発明の第２実施例に係る除菌ケースを示す断面図である。
【図１５】この発明の第３実施例に係る除菌ケースを示す断面図である。
【図１６】この発明の第４実施例に係る除菌ケースを示す断面図である。
【図１７】電極シートと昇圧回路との電気的接続構造を示す概略平面図である。
【図１８】除菌ケースを一部破断して示す概略側面図である。
【図１９】この発明の第５実施例に係る除菌ケースのケース本体を破断して示す概略断面図である。
【図２０】この発明の第６実施例に係る除菌ケースのケース本体を破断して示す概略断面図である。
【図２１】この発明の第７実施例に係る除菌ケースを示す概略側面図である。
【図２２】この発明の第８実施例に係る除菌ケースの要部を示す断面図である。
【図２３】図２２に示す要部を分解して示す斜視図である。
【図２４】第８実施例の電極の変形例を示す平面図である。
【図２５】この発明の第９実施例に係る除菌ケースの要部を示す断面図である。
【図２６】除菌作用を説明するための部分拡大断面図である。
【図２７】菌の生存状態を示す写真の転写図である。
【図２８】菌の生存率と距離との関係を示す線図である。
【図２９】第９実施例の一変形例に係る除菌ケースの要部を示す断面図である。
【発明を実施するための形態】
【００２７】
以下、この発明の最良の形態について図面を参照して説明する。
【００２８】
（実施例１）
図１は、この発明の第１実施例に係る除菌ケースを分離して示す斜視図である。
図１に示すように、この実施例の除菌ケース１−１は、ケース本体２とカバー体３とを備えている。
【００２９】
図２は、ケース本体２の正面図である。
図１及び図２に示すように、ケース本体２は、移動体通信機であるスマートフォン１００をセットするための基体であり、載置部４と電圧供給部６とにより構成されている。
載置部４は、厚さｔで幅ｗの長方形状の板体であり、その表面には、スマートフォン１００を載置可能な電極シート５が敷設されている。
【００３０】
電極シート５は、オゾンを発生するフレキシブルなシートである。
図３は、ケース本体２を破断して示す概略平面図であり、図４は、図３の矢視Ａ−Ａ断面図である。
図３及び図４に示すように、電極シート５は、シート状の誘電体５０とこの誘電体５０内部に収納された１対の電極５１，５２とで形成されている。
具体的には、図４に示すように、誘電体５０は、２層の誘電体層５０ａ，５０ｂで構成されており、電極５１，５２が下層の誘電体層５０ｂ上に形成され、上層の誘電体層５０ａが、電極５１，５２を覆うように、誘電体層５０ｂ上に積層されている。
このような電極シート５は、全て高分子樹脂で形成されている。この実施例では、誘電体層５０ａ，５０ｂを、それぞれポリイミド樹脂で形成しただけでなく、電極５１，５２も高分子樹脂である導電性ポリマーで形成した。このように電極シート５全体を高分子樹脂で形成することで、電極シート５のフレキシブル性を高めると共に、電極シート５の薄型化、軽量化及びオゾン発生部分の広面積化を図っている。
また、図３に示すように、１対の電極５１，５２のそれぞれは、櫛歯状に形成され、これら櫛歯５１ａ，５２ａ同士が、一定間隔を保って、噛み合っている。
【００３１】
電圧供給部６は、電極シート５とスマートフォン１００とに所定の電圧を供給するための部分である。
具体的には、図３に示すように、電圧供給部６は、載置部４の後端部側（図３の上方端部側）に配設された収納部６０内に収納されている。
この電圧供給部６は、第１の回路としての昇圧回路６１と第２の回路としての直流変換回路６２とスイッチ機構としてのスイッチ回路６３と除菌メータ６４とで構成されている。
【００３２】
昇圧回路６１は、電源電圧をオゾン発生に必要な電圧に変換して電極シート５の電極５１，５２に供給するための回路である。
具体的には、この実施例では、電源として１００Ｖの商用交流電圧の電源６５が用いられ、昇圧回路６１は、スイッチ回路６３を介してこの電源６５に電気的に接続されている。昇圧回路６１は、電源６５から入力した１００Ｖの交流電圧を例えば２ｋＶ〜１０ｋＶの交流電圧又はパルス電圧に昇圧して、電極シート５の電極５１，５２に供給する機能を有している。
【００３３】
直流変換回路６２は、交流電圧の電源６５をスマートフォン１００（図１参照）の電源電圧に変換して、雄コネクタ７に供給するための回路である。
具体的には、直流変換回路６２も、昇圧回路６１と同様に、スイッチ回路６３を介して電源６５に電気的に接続されている。直流変換回路６２は、電源６５から入力した１００Ｖの交流電圧を例えば５Ｖの直流電圧に変換して、雄コネクタ７に供給する機能を有している。
雄コネクタ７は、図１及び図２に示すように、収納部６０の前壁６０ａの中央且つ下部側に突設されている。詳しくは、スマートフォン１００を載置部４の電極シート５の上に載置した際に、スマートフォン１００の後面に設けられている雌コネクタ１０１を、この雄コネクタ７に接続することができるように設定されている。また、雄コネクタ７には、図３に示すように、電源端子７ａ，７ｂが設けられ、雄コネクタ７を雌コネクタ１０１に接続した際に、電源端子７ａ，７ｂが雌コネクタの図示しない電源端子に接触するようになっている。
【００３４】
スイッチ回路６３は、電源６５を昇圧回路６１，直流変換回路６２及び除菌メータ６４に供給又は遮断するための回路である。
【００３５】
図５は、スイッチ回路６３の構造を示す概略図であり、図６は、スイッチ回路６３のピン体の配置状態を示す側面図である。
図５に示すように、スイッチ回路６３はピン体６３ａとスプリング６３ｂと固定端子６３ｃと可動端子６３ｄとで構成されている。
ピン体６３ａは、図６に示すように、先端が収納部６０の前壁６０ａに設けられた孔６０ｂに挿通されている。そして、スプリング６３ｂが、このピン体６３ａと収納部６０との間に介在し、ピン体６３ａを前壁６０ａの外方に突出させるように付勢している。
一方、固定端子６３ｃは、図５に示すように、昇圧回路６１，直流変換回路６２及び除菌メータ６４の一方の入力端に電気的に接続され、可動端子６３ｄは、電源６５の一方の出力端に電気的に接続されている。この可動端子６３ｄは、板バネ状の金属体であり、外力を受けていない場合には、収納部６０の後方（図５の上方、図６の右方）から前方（図５の下方、図６の左方）に向かってストッパ６３ｅに圧接している。したがって、ピン体６３ａによる押圧力を受けていない場合には、可動端子６３ｄは、固定端子６３ｃに接触していない。しかし、破線で示すように、ピン体６３ａが後方に移動して、可動端子６３ｄを後方に押圧すると、可動端子６３ｄが固定端子６３ｃに接触する。
つまり、このスイッチ回路６３は、ピン体６３ａの移動によって、電源６５からの商用電源を供給又は遮断する機能を有する。
さらに、このスイッチ回路６３には、電源オン後、所定時間経過後に電源をオフにする機能をも有している。
具体的には、コントローラ６３ｆが、固定端子６３ｃの後段に設けられている。このコントローラ６３ｆは、図示しないタイマーを内蔵しており、電源オン時に、このタイマーを作動させる。すると、このコントローラ６３ｆは、タイマーの時間経過に基づいて、所定時間経過後に固定端子６３ｃと昇圧回路６１，直流変換回路６２及び除菌メータ６４との間の電気的接続を断つ。そして、コントローラ６３ｆは、電源がオフになると、タイマーをリセットとすると共に、固定端子６３ｃと昇圧回路６１，直流変換回路６２及び除菌メータ６４とを電気的に接続した状態に戻す。
【００３６】
除菌メータ６４は、除菌の処理時間を表示するための機器である。
図７は、除菌メータ６４を示す概略断面図である。
図７に示すように、除菌メータ６４は、スイッチ回路６３を介して電源６５に電気的に接続された状態で、収納部６０の天壁６０ｃ上に取り付けられている。これにより、スイッチ回路６３が閉じて電源がオン状態になると、除菌メータ６４が作動して、除菌の処理時間を表示する。
【００３７】
一方、カバー体３は、図１に示すように、ケース本体２に開閉自在に取り付けられる箱体であり、底壁３１と天壁３２と両側壁３３，３４と前壁３５とで形成されている。そして、開口３０が、ケース本体２側を向く面に設けられている。
図８は、カバー体３を開口３０側から示す正面図であり、図９は、カバー体３をケース本体２に取り付けた状態を示す断面図である。
図８に示すように、このカバー体３は、１対の溝３３ａ，３４ａを有している。
具体的には、溝３３ａが側壁３３と底壁３１との角部に形成され、溝３４ａが側壁３４と底壁３１との角部に形成されている。このような溝３３ａ，３４ａの幅（図８の上下幅）は、ケース本体２の載置部４の厚さｔ（図２参照）にほぼ等しく設定され、溝３３ａ，３４ａ間の距離は、載置部４の幅ｗにほぼ等しく設定されている。
カバー体３が、かかる構造を有しているので、図９に示すように、カバー体３の底壁３１を、ケース本体２の載置部４の下に位置させた状態で、溝３３ａ，３４ａを載置部４の両端にスライド自在に嵌め込むことができる。この状態から、カバー体３を、ケース本体２の収納部６０側にスライドさせて、カバー体３を完全に閉じることができる。
【００３８】
以上のように、この実施例の除菌ケース１−１では、ケース本体２とカバー体３との全体の大きさを、スマートフォン１００の大きさに近づけることができるので、除菌ケース１−１自体を小型化及び軽量化することができる。
さらに、薄い電極シート５をケース本体２内に敷設する構成であるので、電極シート５によって除菌ケース１−１が大型化するおそれはない。
【００３９】
次に、この実施例の除菌ケース１−１の使用例について説明する。
図１０は、除菌ケース１−１の使用例を示す概略側面図であり、図１０の（ａ）は、スマートフォン１００をケース本体２に載せた状態を示し、図１０の（ｂ）は、スマートフォン１００をケース本体２に電気的に接続した状態を示し、図１０の（ｃ）は、カバー体３を閉じた状態を示す。また、図１１は、スマートフォン１００をケース本体２に載せた状態で、カバー体３を完全に閉じた状態を示す斜視図である。
【００４０】
スマートフォン１００は、次のようにして、この実施例の除菌ケース１−１を用いて充電及び除菌することができる。
まず、ユーザは、図１０の（ａ）において、ケース本体２の電源６５を、図示しない商用電源のコンセントに差し込む。
かかる状態では、スイッチ回路６３のピン体６３ａは、外方からの押圧力を受けていないので、図５の実線で示したように、可動端子６３ｄが固定端子６３ｃと非接触状態にあり、電源はオフ状態である。このため、商用電源はケース本体２に入力されない。
かかる状態で、図１０の（ａ）に示すように、雌コネクタ１０１をケース本体２の雄コネクタ７に向けた状態で、スマートフォン１００を載置部４の電極シート５上に載置した後、スマートフォン１００を収納部６０側に移動させる。スマートフォン１００を収納部６０側に目一杯移動させることで、図１０の（ｂ）に示すように、雌コネクタ１０１を、収納部６０から突出した雄コネクタ７に接続することができる。つまり、スマートフォン１００は、雌コネクタ１０１と雄コネクタ７を通じて、直流変換回路６２（図５参照）と電気的に接続された状態になる。
【００４１】
次に、二点鎖線で示すように、カバー体３を載置部４に嵌める。具体的には、図９に示したように、カバー体３の溝３３ａ，３４ａを載置部４の両端に嵌め込み、カバー体３をケース本体２の収納部６０側に向けてスライドさせる。
そして、図１０の（ｃ）に示すように、カバー体３を収納部６０側に目一杯移動させると、図１１に示すように、カバー体３が完全に閉じた状態になる。
かかる状態では、図１０の（ｃ）に示すように、スイッチ回路６３（図５参照）のピン体６３ａは、カバー体３の底壁３１による押圧力を受けているので、ピン体６３ａが電圧供給部６内部に移動し、図５の破線で示したように、可動端子６３ｄが固定端子６３ｃに接触する。この結果、電源がオン状態に変わり、商用電源が電源６５及びスイッチ回路６３を介して、昇圧回路６１と直流変換回路６２と除菌メータ６４とに入力され、これらが作動する。
【００４２】
図１２は、電極シート５からのオゾン発生状態を示す概略図である。
昇圧回路６１が作動状態になると、図１２に示すように、商用交流電圧の電源６５から入力された１００Ｖの交流電圧が、昇圧回路６１によって、２ｋＶ〜１０ｋＶの交流電圧又はパルス電圧に昇圧され、電極シート５の電極５１，５２に供給される。すると、電極５１の櫛歯５１ａの極性と電極５２の櫛歯５２ａの極性とが、逆極性になり、放電が櫛歯５１ａ，５２ａ間に生じ、オゾンＯ3が発生する。この結果、矢印で示すように、多量のオゾンＯ3が電極シート５の周囲に放出される。
【００４３】
図１３は、オゾンによる除菌作用を説明するための断面図である。
上記のように、多量のオゾンＯ3が電極シート５の周囲に放出されると、図１３に示すように、ガス状のオゾンＯ3は、閉じた除菌ケース１−１内に閉じこめられ、除菌ケース１−１全体に充満する。このため、オゾンＯ3が、スマートフォン１００の周囲全体に回り込み、スマートフォン１００の表面だけでなく、アクセサリ等で隠れた部分も除菌することとなる。
かかる状態では、図１１に示すように、除菌メータ６４によって、除菌の処理時間すなわち除菌ケース１−１の作動時間を視認することができる。
【００４４】
一方、直流変換回路６２では、電源６５からの１００Ｖの交流電圧が例えば５Ｖの直流電圧に変換され、図１０に示したように、この直流電圧が、雄コネクタ７と雌コネクタ１０１を通じてスマートフォン１００に供給される。つまり、スマートフォン１００に対する除菌と充電とが同時に行われる。
【００４５】
かかる電源オン状態においては、図５に示したように、コントローラ６３ｆによって、タイマーが作動している。そして、除菌や充電が十分に達成されたであろう所定時間が経過すると、コントローラ６３ｆが、固定端子６３ｃと昇圧回路６１，直流変換回路６２及び除菌メータ６４との電気的接続を断ち、除菌と充電とを終了させる。
ユーザは、除菌終了を確認後、図１０の（ｃ）に示す状態のカバー体３を、図１０の（ｂ）に示すように、左方にスライドさせる。これにより、ピン体６３ａへのカバー体３による押圧力が解放されるので、電源がオフ状態になる。この結果、コントローラ６３ｆによって、タイマーがリセットされると共に、固定端子６３ｃと昇圧回路６１，直流変換回路６２及び除菌メータ６４とが元の電気的接続状態に戻される。
そして、図１０の（ａ）に示すように、カバー体３をケース本体２から取り外すことで、除菌と充電が達成されたスマートフォン１００を、除菌ケース１−１から取り出すことができる。
【００４６】
（実施例２）
次に、この発明の第２実施例について説明する。
図１４は、この発明の第２実施例に係る除菌ケース１−２を示す断面図である。
図１４に示すように、この実施例の除菌ケース１−２は、スペーサ８を有している点が、上記第１実施例と異なる。
すなわち、複数のスペーサ８を、ケース本体２の電極シート５上に配設した。具体的には、載置されたスマートフォン１００の下面四隅をこれらのスペーサ８で支持するように、４つ以上のスペーサ８を電極シート５上に固着した。
【００４７】
かかる構成により、空隙Ｓ１が、スマートフォン１００の下面と電極シート５との間に形成され、多量の空気が、この空隙Ｓ１にも入り込む。
これにより、電極シート５の上方に多量の酸素を確保することができ、電極シート５によるオゾンの発生率を高めることができる。
その他の構成、作用及び効果は、上記第１実施例と同様であるので、それらの記載は省略する。
【００４８】
（実施例３）
次に、この発明の第３実施例について説明する。
図１５は、この発明の第３実施例に係る除菌ケース１−３を示す断面図である。
図１５に示すように、この実施例の除菌ケース１−３は、載置部４と電極シート５との形状が、上記第１及び第２実施例と異なる。
すなわち、載置部４を断面波形状に湾曲させ、フレキシブルな電極シート５をこの載置部４の形状に添って敷設した。
かかる構成により、多数の空隙Ｓ２が、スマートフォン１００の下面と波形状の電極シート５との間に形成され、多量の空気が、これらの空隙Ｓ２に充満する。
これにより、電極シート５に多量の酸素を確保することができ、電極シート５によるオゾンの発生率を高めることができる。
さらに、電極シート５を、波形状に敷設することで、電極シート５の面積を大きく採ることができる。
その他の構成、作用及び効果は、上記第１及び第２実施例と同様であるので、それらの記載は省略する。
【００４９】
（実施例４）
次に、この発明の第４実施例について説明する。
図１６は、この発明の第４実施例に係る除菌ケース１−４を示す断面図である。
図１６に示すように、この実施例の除菌ケース１−４では、電極シート５とは別体の電極シート５’を有している点が、上記第１ないし第３実施例と異なる。
【００５０】
具体的には、電極シート５’を、カバー体３の天壁３２内面に敷設した。
図１７は、電極シート５’と昇圧回路６１との電気的接続構造を示す概略平面図である。
図１７に示すように、電極シート５’は、電極シート５と同構造であり、誘電体５０と電極５１，５２とを有している。そして、雌コネクタ５３の端子５３ａ，５３ｂが、この電極シート５’の電極５１，５２に接続され、雄コネクタ５４の端子５４ａ，５４ｂが、昇圧回路６１の両出力端に接続されている。これにより、雄コネクタ５４を雌コネクタ５３に挿入することで、雌コネクタ５３の端子５３ａ，５３ｂと雄コネクタ５４の端子５４ａ，５４ｂとが接触し、昇圧回路６１と電極シート５’の電極５１，５２とが、雌コネクタ５３及び雄コネクタ５４を介して電気的に接続する。
【００５１】
図１８は、この実施例の除菌ケース１−４を一部破断して示す概略側面図である。
図１８に示すように、電極シート５’は、カバー体３の天壁３２の内面に貼り付けられており、その雌コネクタ５３は、天壁３２の後側に取り付けられている。一方、昇圧回路６１に接続された雄コネクタ５４は、電圧供給部６の前壁６０ａ上部に突設されている。
【００５２】
除菌ケース１−４が上記構成を採ることにより、カバー体３を、スマートフォン１００が接続されたケース本体２の載置部４に嵌め、収納部６０側に移動させると、電極シート５’の雌コネクタ５３が、収納部６０側の雄コネクタ５４に近づく。そして、カバー体３を収納部６０側に目一杯近づけると、雄コネクタ５４が雌コネクタ５３に挿入される。この結果、電圧供給部６の昇圧回路６１と電極シート５’の電極５１，５２とが、雌コネクタ５３及び雄コネクタ５４を介して電気的に接続する。
かかる状態では、ピン体６３ａの移動により、電源がオン状態になっているので、交流電圧又はパルス状電圧が、昇圧回路６１から電極シート５と電極シート５’の双方の電極５１，５２に供給される。これにより、オゾンが、上側の電極シート５’と下側の電極シート５からスマートフォン１００に放出され、スマートフォン１００が短時間に除菌される。
その他の構成、作用及び効果は、上記第１ないし第３実施例と同様であるので、それらの記載は省略する。
【００５３】
（実施例５）
次に、この発明の第５実施例について説明する。
図１９は、この発明の第５実施例に係る除菌ケース１−５のケース本体２を破断して示す概略断面図である。
図１９に示すように、この実施例の除菌ケース１−５は、電源が、直流電源としての電池６５’である点が、上記第１ないし第４実施例と異なる。
この実施例では、電池６５’は、例えば、６Ｖの直流電圧を供給可能な乾電池であり、ケース本体２の収納部６０内に収納することができる。
この電池６５’は、スイッチ回路６３を介して昇圧回路６１’と直流変換回路６２’と除菌メータ６４とに接続されている。
昇圧回路６１’は、電池６５’からの６Ｖ直流電圧を２ｋＶ〜１０ｋＶの交流電圧又はパルス電圧に昇圧する機能を有し、直流変換回路６２’は、電池６５’からの６Ｖ直流電圧を５Ｖの直流電圧に変換する機能を有している。
【００５４】
かかる構成により、電池６５’からの６Ｖ直流電圧が、昇圧回路６１’によって、この２ｋＶ〜１０ｋＶの交流電圧又はパルス状電圧に変換される。そして、この交流電圧又はパルス状電圧が昇圧回路６１’から電極シート５の電極５１，５２に供給される。これと同時に、電池６５’からの６Ｖ直流電圧が、直流変換回路６２’によって、５Ｖの直流電圧に変換され、雄コネクタ７に供給される。
その他の構成、作用及び効果は、上記第１ないし第４実施例と同様であるので、それらの記載は省略する。
【００５５】
（実施例６）
次に、この発明の第６実施例について説明する。
図２０は、この発明の第６実施例に係る除菌ケース１−６のケース本体２を破断して示す概略断面図である。
図２０に示すように、この実施例の除菌ケース１−６は、直流変換回路６２’’が、電源の直流電圧をそのまま雄コネクタ７に供給する構造になっている点が、上記第１ないし第５実施例と異なる。
具体的には、雌コネクタ６６が、電圧供給部６の収納部６０の後壁６０ｄに設けられ、この雌コネクタ６６が、スイッチ回路６３を介して昇圧回路６１’’と直流変換回路６２’’と除菌メータ６４とに電気的に接続されている。
直流変換回路６２’’は、雌コネクタ６６からの直流電源を変換せずにそのまま雄コネクタ７に出力する回路であり、配線６２ａ，６２ｂ自体で形成されている。
【００５６】
この実施例の電源は、スマートフォン１００で使用されている周知の充電器２００から供給される５Ｖの直流電源である。
具体的には、充電器２００は、１００Ｖの商用電圧を５Ｖの直流電圧に変換する変換器２０１と、変換器２０１から引き出されたケーブル２０２と、ケーブル２０２の先端部に取り付けられたＵＳＢコネクタ２０３とで構成されている。
そして、この充電器２００のＵＳＢコネクタ２０３を、ケース本体２の雌コネクタ６６に挿入することで、ＵＳＢコネクタ２０３の図示しない電源端子が、雌コネクタ６６の端子６６ａ，６６ｂに接触するようになっている。
【００５７】
かかる構成により、充電器２００の変換器２０１を商用電源のコンセントに接続すると共に、ＵＳＢコネクタ２０３をケース本体２の雌コネクタ６６に接続すると、スイッチ回路６３のオン時には、ＵＳＢコネクタ２０３からの５Ｖ直流電圧が、昇圧回路６１’’と直流変換回路６２’’と除菌メータ６４とに供給される。そして、５Ｖ直流電圧は、昇圧回路６１’’によって２ｋＶ〜１０ｋＶの交流電圧又はパルス状電圧に変換され、直流変換回路６２’’によって、５Ｖ直流電圧のまま、雄コネクタ７に供給される。
その他の構成、作用及び効果は、上記第１ないし第５実施例と同様であるので、それらの記載は省略する。
【００５８】
（実施例７）
次に、この発明の第７実施例について説明する。
図２１は、この発明の第７実施例に係る除菌ケース１−７を示す概略側面図である。
上記第１ないし第６実施例では、カバー体３をスライドさせて、ケース本体２に取り付けることができる構成としたが、この実施例の除菌ケース１−７は、図２１に示すように、カバー体３をケース本体２に回転自在に取り付けた点が、上記第１ないし第６実施例と異なる。
具体的には、カバー体３の前壁３５側の下部を、ケース本体２の載置部４の前側（図２１の左側）に軸３９を用いて回転自在に取り付けた。
そして、スイッチ回路６３のピン体６３ａを、ケース本体２の収納部６０の天壁６０ｃ上に取り付けた。
【００５９】
かかる構成により、図２１の実線で示すように、カバー体３を開いて、スマートフォン１００をケース本体２に載置することができる。そして、図２１の二点鎖線で示すように、カバー体３を閉じることで、スマートフォン１００を除菌ケース１−７内に閉じこめることができる。そして、カバー体３を閉じると、カバー体３の天壁３２がピン体６３ａを押圧するので、電源がオン状態になる。
その他の構成、作用及び効果は、上記第１ないし第６実施例と同様であるので、それらの記載は省略する。
【００６０】
（実施例８）
次に、この発明の第８実施例について説明する。
図２２は、この発明の第８実施例に係る除菌ケースの要部を示す断面図であり、図２３は、図２２に示す要部を分解して示す斜視図である。
図２２に示すように、この実施例の除菌ケースは、電極シート５’’の構造が、上記実施例の電極シート５，５’と異なる。
すなわち、一方の電極５１’のみが誘電体５０内部に収納され、他方の電極５２’−１は、誘電体５０の表面に設けられている。
【００６１】
具体的には、図２３に示すように、ベタ状の電極５１’が下層の誘電体層５０ｂ上に積層形成され、上層の誘電体層５０ａが、電極５１’を覆うように誘電体層５０ｂ上に積層されている。そして、電極５１’とほぼ同形の電極５２’−１が、誘電体層５０ａ上に形成されている。さらに、保護層５５が、電極５２’−１の上に積層されている。
また、電極５１’の角部には、端子部５１ａ’が設けられ、その上の誘電体層５０ａの角部には、端子部５１ａ’を覗く矩形状の給電口５０ｃが形成されている。さらに、給電口５０ｃと連通する給電口５５ａが、保護層５５の角部に設けられている。そして、昇圧回路６１の一方の出力端から延出した配線６１ａが、給電口５５ａと給電口５０ｃを通って、電極５１’の端子部５１ａ’に接続されている。
一方、電極５２’−１の角部には、端子部５２ａ’が設けられ、その上の保護層５５の角部には、端子部５２ａ’を覗く矩形状の給電口５５ｂが形成されている。そして、昇圧回路６１の他方の出力端から延出した配線６１ｂが、給電口５５ｂを通って、電極５２’−１の端子部５２ａ’に接続されている。
さらに、誘電体５０の表面に設けられた電極５２’−１には、多数の円形孔５２ｂ’が一定間隔で穿設されている。
この実施例の電極シート５’’においても、上記第１実施例の電極シート５と同様に、電極シート５’’全体を、全て高分子樹脂で形成した。すなわち、誘電体層５０ａ，５０ｂと保護層５５とを、それぞれポリイミド樹脂で形成しただけでなく、電極５１’，５２’−１も高分子樹脂である導電性ポリマーで形成した。
なお、この実施例では、保護層５５を、誘電体５０の表面にある電極５２’−１の上に設けたが、保護層５５は、必須の部材ではなく、場合によっては、設けることを要しない。
また、この実施例は、他の電極として、多数の円形孔５２ｂ’を有した電極５２’−１を適用したが、図２４の（ａ）に示すように、網状の電極５２’−２を他の電極として適用することができるし、図２４の（ｂ）に示すように、櫛歯状の電極５２’−３を他の電極として適用することができる。
その他の構成、作用及び効果は、上記第１ないし第７実施例と同様であるので、それらの記載は省略する。
【００６２】
（実施例９）
次に、この発明の第９実施例について説明する。
図２５は、この発明の第９実施例に係る除菌ケースの要部を示す断面図であり、図２６は、除菌作用を説明するための部分拡大断面図である。
図２５に示すように、この実施例の除菌ケース１−９は、除菌対象面と電極シート５との距離ｈを一定値に保つ構造になっている点が、上記第１〜第８実施例と異なる。
すなわち、この実施例では、保持部としてのスペーサ８’の高さｈを１０ｍｍ以下の範囲内に設定した。
【００６３】
上記第２実施例等で示したように、スマートフォン１００の表面が鏡面である場合には、スマートフォン１００と電極シート５との距離の如何にかかわらず、スマートフォン１００の表面の菌をオゾンによってほぼ完全に除菌することができる。
しかし、スマートフォン１００の表面がざらざらであったり、ざらざらした素材や布製のケースに収納したスマートフォン１００を除菌する場合には、除菌対象であるスマートフォン１００の表面やケース表面と電極シート５との距離が大きいと、除菌効果がほとんど得られないことがある。
【００６４】
そこで、この実施例では、スペーサ８’の高さｈを１０ｍｍ以下の範囲内に設定して、除菌対象を電極シート５の近傍に位置させることにより、ざらざらな表面を有したスマートフォン１００やざらざらした素材や布製のケースに対しても、高い除菌効果を得ることができるようにした。
具体的には、４つ以上のスペーサ８’を電極シート５上に固着して、除菌対象と電極シート５との距離ｈが、１０ｍｍ以下の範囲内に保持されるようにした。
【００６５】
これにより、図２５に示すように、スマートフォン１００をざらざらした素材や布製のケース１１０（移動体通信機ケース）に収納して、ケース１１０をスペーサ８’上に載置すると、ケース１１０の表面と電極シート５との距離ｈが、１０ｍｍ以下の範囲内の距離に保たれる。
かかる状態で、カバー体３をケース本体２に嵌めて、オゾンを発生させると、オゾンが、ケース１１０と電極シート５との間の空隙に充満し、ケース１１０の表面に付着した菌を除菌しようとする。
【００６６】
しかし、ケース１１０の表面がざらざらしていると、図２６に示すように、ほとんどの菌Ｋがケース１１０の表面１１０ａの多数の凹部１１０ｂ内に入り込む。したがって、ケース１１０の表面１１０ａと電極シート５との距離ｈが大きいと、オゾンが凹部１１０ｂ内の菌Ｋを除菌することができず、除菌効果が著しく低下する。
しかしながら、この実施例では、ざらざらなケース１１０の表面１１０ａと電極シート５との距離ｈを、スペーサ８’によって、１０ｍｍ以下の範囲内の距離に保つことにより、ケース１１０の表面１１０ａを電極シート５の近傍に対面させているので、凹部１１０ｂ内の菌Ｋがオゾンによって確実に除菌される。
【００６７】
発明者等は、かかる効果を実証すべく、次のような実験を行った。
図２７は、菌Ｋの生存状態を示す写真の転写図である。
発明者等は、この実験を一般的な室内環境で行った。
まず、準備として、雑菌（一般生菌、以下「菌Ｋ」と記す）を別途培養し、この菌Ｋを図示しないポリエステル綿混紡の布片に噴霧した後、布片を乾燥させた。
そして、この準備しておいた布片の表面を、５ｃｍ角の培地Ｂでふき取り、３５℃の温度下で４８時間、菌Ｋをこの培地Ｂで培養した。すると、図２７の（ａ）に示すように、５ｃｍ角の培地Ｂに、「１３７」の菌Ｋが生存していた。
つまり、オゾン処理をしない状態では、菌Ｋの生存数は、「１３７」であることを確認した。
次に、準備しておいた上記布片を、菌Ｋが噴霧された面を電極シート５に対面させた状態で、電極シート５の真上ｘｍｍに固定した。かかる状態で、オゾンを電極シート５から発生させ、布片をオゾン中に２時間晒した。このとき、周波数１３Ｈｚでｐ−ｐ１４ｋＶのパルス電源を電極シート５に供給して、オゾンを発生させた。
しかる後、オゾン処理されたこの布片の表面を、５ｃｍ角の培地Ｂでふき取り、３５℃の温度下で４８時間、菌Ｋをこの培地Ｂで培養した。
布片と電極シート５との距離ｘｍｍを、２ｍｍ、５ｍｍ、１０ｍｍ、２０ｍｍ、３０ｍｍに設定して、上記のオゾン処理を行った。すると、布片と電極シート５との距離２ｍｍでは、図２７の（ｂ）に示すように、５ｃｍ角の培地Ｂにおける菌Ｋの生存数は、「１」であり、距離５ｍｍでは、図２７の（ｃ）に示すように、菌Ｋの生存数は、「１９」であり、距離１０ｍｍでは、図２７の（ｄ）に示すように、菌Ｋの生存数は、「５１」であり、距離２０ｍｍでは、図２７の（ｅ）に示すように、菌Ｋの生存数は、「１０３」であり、距離３０ｍｍでは、図２７の（ｆ）に示すように、菌Ｋの生存数は、「１０２」であった。
つまり、オゾン処理をした状態では、布片と電極シート５との距離を増加させると、菌Ｋの生存数が増加することを確認した。
【００６８】
図２８は、菌Ｋの生存率と距離との関係を示す線図である。
発明者等は、菌Ｋの生存率を、（オゾン処理後の菌数÷オゾン未処理の菌数）×１００（％）として定義し、上記オゾン処理における電極シート／布片間距離と菌Ｋの生存率との関係をプロットした。
すると、図２８に示すように、点ｐ１〜ｐ５を得た。
点ｐ１，ｐ２，ｐ３が示すように、距離２ｍｍ，５ｍｍ，１０ｍｍでは、生存率が、１％，１４％，３７％であり、基準生存率５０％を下回っている。
ところが、点ｐ４，ｐ５が示すように、距離２０ｍｍ，３０ｍｍでは、７５％，７４％であり、基準生存率５０％を大きく上回っている。
かかる実験結果から、生存率が確実に「５０」％未満になる布片と電極シート５との距離は、１０ｍｍ以下であると判断することができる。
そこで、発明者等は、図２５に示すスペーサ８’で保持する距離ｈを、１０ｍｍ以下の範囲内に設定した。このように、ケース１１０の表面１１０ａと電極シート５との距離ｈを、１０ｍｍ以下の範囲内に保つことで、図２８に示すように、ケース１１０の表面１１０ａに生存する菌Ｋを、基準生存率「５０」％未満に抑制することができる。
【００６９】
なお、この実施例では、電極シート５上に突設したスペーサ８’を、保持部として適用した例を示したが、保持部は、このようなスペーサ８’だけに限定されるものではない。図２９に示すように、載置部４の隅を上方に突出させて形成したスペーサ８’’も含む。
その他の構成、作用及び効果は、上記第１ないし第８実施例と同様であるので、それらの記載は省略する。
【００７０】
なお、この発明は、上記実施例に限定されるものではなく、発明の要旨の範囲内において種々の変形や変更が可能である。
例えば、上記実施例では、電極シート５，５’’の電極５１，５２，５１’，５２’−１〜５２’−３も、誘電体５０と同じく高分子樹脂である導電性ポリマーで形成したが、電極５１，５２，５１’，５２’−１〜５２’−３を銅等の金属箔や、炭素や銀等の導電性インクで形成しても良い。
また、上記第１〜第７実施例の電極シート５，５’では、櫛歯状の１対の電極５１，５２を共に誘電体５０内に収納した構成を採用し、第８実施例の電極シート５’’では、一方の電極５１’を誘電体５０内に収納すると共に他方の電極５２’−１を誘電体５０の表面に設けた構成を採用したが、電極シートの構成は、これに限らず、例えば、１対の電極を平板状に形成して、これら２つの電極を、一定間隔を保って、横並びにした構成にしても良く、また、一つの電極を共に渦巻き状に形成して、これら渦巻き状の１対の電極を一定の間隔を保って嵌め合わせた構成にしても良い。
また、上記実施例では、除菌メータ６４を備えた除菌ケース１−１〜１−７について例示したが、除菌メータ６４を備えていない除菌ケースも、この発明の範囲に含まれることは勿論である。
また、上記実施例では、移動体通信機の一例として、スマートフォン１００を示したが、これに限らず、移動体通信機には、いわゆるガラパゴス携帯電話といわれる携帯電話や一般的な携帯電話等も含まれることは、勿論である。
【符号の説明】
【００７１】
１−１〜１−７，１−９…除菌ケース、  ２…ケース本体、  ３…カバー体、  ４…載置部、  ５，５’，５’’…電極シート、  ６…電圧供給部、  ７，５４…雄コネクタ、  ７ａ，７ｂ…電源端子，５３ａ，５３ｂ，５４ａ，５４ｂ，６６ａ，６６ｂ…端子、  ８，８’，８’’…スペーサ、  ３０…開口、  ３１…底壁、  ３２…天壁、  ３３，３４…側壁、  ３３ａ，３４ａ…溝、  ３５…前壁、  ３９…軸、  ５０…誘電体、  ５０ａ，５０ｂ…誘電体層、   ５０ｃ，５５ａ，５５ｂ…給電口、  ５１，５２，５１’，５２’−１〜５２’−３…電極、  ５１ａ，５２ａ…櫛歯、  ５１ａ’，５２ａ’…端子部、  ５２ｂ’…円形孔、  ５３，６６，１０１…雌コネクタ、  ５５…保護層、  ６０…収納部、  ６０ａ…前壁、  ６０ｂ…孔、  ６０ｃ…天壁、  ６０ｄ…後壁、  ６１，６１’，６１’’…昇圧回路、  ６１ａ，６１ｂ…配線、  ６２，６２’，６２’’…直流変換回路、  ６２ａ，６２ｂ…配線、  ６３…スイッチ回路、  ６３ａ…ピン体、  ６３ｂ…スプリング、  ６３ｃ…固定端子、  ６３ｄ…可動端子、  ６３ｅ…ストッパ、  ６３ｆ…コントローラ、  ６４…除菌メータ、  ６５…電源、  ６５’…電池、  １００…スマートフォン、  １１０…ケース、  １１０ａ…表面、  １１０ｂ…凹部、  ２００…充電器、  ２０１…変換器、  ２０２…ケーブル，  ２０３…ＵＳＢコネクタ、  Ｂ…培地、  ｈ…距離、  Ｋ…菌、  Ｓ１，Ｓ２…空隙。
【図１】
2016186168.tif 000003
【図２】
2016186168.tif 000004
【図３】
2016186168.tif 000005
【図４】
2016186168.tif 000006
【図５】
2016186168.tif 000007
【図６】
2016186168.tif 000008
【図７】
2016186168.tif 000009
【図８】
2016186168.tif 000010
【図９】
2016186168.tif 000011
【図１０】
2016186168.tif 000012
【図１１】
2016186168.tif 000013
【図１２】
2016186168.tif 000014
【図１３】
2016186168.tif 000015
【図１４】
2016186168.tif 000016
【図１５】
2016186168.tif 000017
【図１６】
2016186168.tif 000018
【図１７】
2016186168.tif 000019
【図１８】
2016186168.tif 000020
【図１９】
2016186168.tif 000021
【図２０】
2016186168.tif 000022
【図２１】
2016186168.tif 000023
【図２２】
2016186168.tif 000024
【図２３】
2016186168.tif 000025
【図２４】
2016186168.tif 000026
【図２５】
2016186168.tif 000027
【図２６】
2016186168.tif 000028
【図２７】
2016186168.tif 000029
【図２８】
2016186168.tif 000030
【図２９】
2016186168.tif 000031
【国際調査報告】
2016186168.tif 000032
2016186168.tif 000033
2016186168.tif 000034
2016186168.tif 000035